(57)【要約】【課題】  マイクロプロセッサ搭載ボード間の接続ケーブルが不要で、小スペース化を図った基幹系伝送装置の装置内制御監視回路を提供する。【解決手段】  各処理部を構成するマイクロプロセッサ搭載ボードを１ボード構成とするため、各マイクロプロセッサ搭載ボード間の通信用ケーブルが不要となり、また保守性も向上し、さらに、装置内での実装スペースが削減される。【選択図】  図１
2005322997.tif 000002
【特許請求の範囲】
【請求項１】
複数の被制御パッケージと通信を行う通信処理部と、
前記被制御パッケージからの警報状態のデータおよびステータス状態のデータを収集する外部通信処理部と、
前記警報状態および前記ステータス状態に基づいて判定処理を行い、前記被制御パッケージの制御を行う制御監視判定処理部と、
前記警報状態のデータおよび前記ステータス状態のデータを他の装置間との間で送受信する装置間通信処理部と、
を備えた基幹系伝送装置の装置内制御監視回路において、
前記通信処理部を構成するマイクロプロセッサ搭載サブボード、前記外部通信処理部を構成するマイクロプロセッサ搭載サブボード、前記制御監視判定処理部を構成するマイクロプロセッサ搭載サブボード、および前記措置間通信処理部を構成するマイクロプロセッサ搭載ボードを同一のボードに搭載したことを特徴とする基幹系伝送装置の装置内制御監視回路。
【請求項２】
前記制御監視判定処理部、前記通信処理部、および前記外部通信処理部間のデータ通信を一つの通信手段で行うようにしたことを特徴とする請求項１記載の基幹系伝送装置の装置内制御監視回路。
【請求項３】
前記通信手段はＬＡＮであることを特徴とする請求項２記載の基幹系伝送装置の装置内制御監視回路。
【請求項４】
前記制御監視判定処理部と前記外部通信処理部とを一つの起動回路で起動するようにしたことを特徴とする請求項１から３のいずれか１項記載の基幹系伝送装置の装置内制御監視回路。
【請求項５】
制御監視判定処理用のデータを格納した制御監視判定用メモリカードと、外部通信処理用のデータを格納した外部通信処理用メモリカードとを着脱自在に接続したことを特徴とする請求項１から４のいずれか１項記載の基幹系伝送装置の装置内制御監視回路。
【請求項６】
前記制御監視判定用メモリカードおよび前記外部通信処理用メモリカードは、外部書込機材によりデータの書き換えが可能であることを特徴とする請求項５記載の基幹系伝送装置の装置内制御監視回路。
【発明の詳細な説明】
【技術分野】
【０００１】
本発明は、基幹系伝送装置の装置内制御監視回路に関する。
【背景技術】
【０００２】
従来、基幹系伝送装置の装置内制御監視回路は、図３で示す構成で実現されていた。
図３は従来の基幹系伝送装置の装置内制御監視回路のブロック図である。
図３を参照して説明すると、装置内制御監視回路は、通信処理部５のマイクロプロセッサ搭載ボードと、制御監視判定処理部３４のマイクロプロセッサ搭載ボードと、外部通信処理部３および起動回路３２のマイクロプロセッサ搭載ボード３５と、装置内通信処理部４のマイクロプロセッサ搭載ボードと、起動回路３１および各処理部間を統括処理するメイン処理部３３のマイクロプロセッサ搭載ボード３６と、装置間送受信部５０を搭載したボードと、を有し、かつそれぞれ別々のボードで構成されていた。尚、４０−１、４０−２は被制御パッケージであり、基幹伝送装置とは、ブロードバンドネットワーク（ＷＡＮの領域）にて、伝送路（特に光ファイバー）間の通信を行う装置を対象とする。具体的には、ＷＤＭ装置、ＡＤＭ装置である（例えば、特許文献１、２、３参照）。
【特許文献１】実開平５−２５８５８号公報
【特許文献２】特開２００２−７１５５号公報
【特許文献３】特開平１１−２８２７８１号公報
【発明の開示】
【発明が解決しようとする課題】
【０００３】
このような従来の技術の第１の問題点は、各ボード間を接続するための通信ケーブル等が必要で、装置内での実装スペースも大規模となる問題があった。このため汎用ラック等に搭載可能な小スペース型の基幹系伝送装置などに適用することが困難であった。
また、第２の問題点は、各処理のデータは、各処理部毎に保持していた為、データを更新する場合には、各ボードを交換する必要があった。
【０００４】
そこで、本発明の目的は、マイクロプロセッサ搭載ボード間の接続ケーブルが不要で、小スペース化を図った基幹系伝送装置の装置内制御監視回路を提供することにある。
【課題を解決するための手段】
【０００５】
上記課題を解決するため、請求項１記載の発明は、複数の被制御パッケージと通信を行う通信処理部と、前記被制御パッケージからの警報状態のデータおよびステータス状態のデータを収集する外部通信処理部と、前記警報状態および前記ステータス状態に基づいて判定処理を行い、前記被制御パッケージの制御を行う制御監視判定処理部と、前記警報状態のデータおよび前記ステータス状態のデータを他の装置間との間で送受信する装置間通信処理部と、を備えた基幹系伝送装置の装置内制御監視回路において、前記通信処理部を構成するマイクロプロセッサ搭載サブボード、前記外部通信処理部を構成するマイクロプロセッサ搭載サブボード、前記制御監視判定処理部を構成するマイクロプロセッサ搭載サブボード、および前記措置間通信処理部を構成するマイクロプロセッサ搭載ボードを同一のボードに搭載したことを特徴とする。
請求項１記載の発明によれば、各処理部を構成するマイクロプロセッサ搭載ボードを１ボード構成とするため、各マイクロプロセッサ搭載ボード間の通信用ケーブルが不要となり、また保守性も向上し、さらに、装置内での実装スペースが削減される。
【０００６】
請求項２記載の発明は、請求項１記載の発明において、前記制御監視判定処理部、前記通信処理部、および前記外部通信処理部間のデータ通信を一つの通信手段で行うようにしたことを特徴とする。
【０００７】
請求項３記載の発明は、請求項２記載の発明において、前記通信手段はＬＡＮであることを特徴とする。
【０００８】
請求項４記載の発明は、請求項１から３のいずれか１項記載の発明において、前記制御監視判定処理部と前記外部通信処理部とを一つの起動回路で起動するようにしたことを特徴とする。
【０００９】
請求項５記載の発明は、請求項１から４のいずれか１項記載の発明において、制御監視判定処理用のデータを格納した制御監視判定用メモリカードと、外部通信処理用のデータを格納した外部通信処理用メモリカードとを着脱自在に接続したことを特徴とする。
【００１０】
請求項６記載の発明は、請求項５記載の発明において、前記制御監視判定用メモリカードおよび前記外部通信処理用メモリカードは、外部書込機材によりデータの書き換えが可能であることを特徴とする。
【００１１】
すなわち、本発明は、制御監視判定処理用のデータとメイン処理用のデータとを同一メモリカードに格納する手段を有し、制御監視判定処理部を１つのマイクロプロセッサ搭載サブボードに含めるものであり、制御監視判定処理部と、通信処理部と、外部通信処理部との通信を同一通信手段とするものである。さらに、本発明は、外部通信処理部および装置間通信処理部とを同一のマイクロプロセッサ搭載サブボードに含めるものであり、さらには、制御監視判定処理部の起動と外部通信処理部の起動とを一つの起動回路で起動させることを含むものである。
【発明の効果】
【００１２】
本発明によれば、各処理部を構成するマイクロプロセッサ搭載ボードを１ボード構成とするため、各マイクロプロセッサ搭載ボード間の通信用ケーブルが不要となり、また保守性も向上し、さらに、装置内での実装スペースが削減される。
【発明を実施するための最良の形態】
【００１３】
本発明による基幹系伝送装置の装置内制御監視回路は、通信処理部５のマイクロプロセッサ搭載サブボードと、制御監視判定処理部２のマイクロプロセッサ搭載サブボードと、外部通信処理部３および装置内通信処理部４のマイクロプロセッサ搭載サブボードとを同一のボードに搭載したことを特長とするものである。さらには、本発明は制御監視判定処理部用のメモリカード１０−１と外部通信処理部用のメモリカード１０−２を搭載したことを特長とする。
【００１４】
図１は本発明の基幹系伝送装置の装置内制御監視回路の一実施の形態を示すブロック図である。
図１を参照すると、本発明の装置内制御監視回路１は、メモリカード１０−１に接続された制御監視判定処理部２と、メモリカード１０−２に接続された外部通信処理部３と、装置内通信処理部４と、通信処理部５と、起動回路３０とで構成される（６は通信処理部である）。
制御監視判定処理部２を構成するマイクロプロセッサ搭載サブボード１００と、外部通信処理部３および装置内通信処理部４を構成するマイクロプロセッサ搭載サブボード２００と、通信処理部５を構成するマイクロプロセッサ搭載サブボード３００とは、同一のボード（プリント基板）で構成されている。
すなわち、一つのボードに制御監視判定処理部２、外部通信処理部３、装置内通信処理部４、通信処理部５、および起動回路３０が構成されており、そのボードにメモリカード１０−１、１０−２を着脱自在に保持するコネクタ（図示せず）が設けられている。
【００１５】
起動回路３０は、制御監視判定処理部２と、外部通信処理部３と、装置内通信処理部４とを構成するマイクロプロセッサ搭載サブボードに接続される。
制御監視判定処理部２と、外部通信処理部３と、通信処理部５とは、同一の通信ＬＡＮ（Local Area Network）に接続されている。
制御監視判定処理部２は、制御監視判定処理用のデータとメイン処理用のデータとを同一のメモリカード１０−１に格納する手段（例えば、クロック信号、アドレス信号、データ信号、チップセレクタ信号、およびリード／ライト信号（但し、ライト信号）を発生する回路）を有している。
通信処理部５は、複数の被制御パッケージ４０−１、４０−２、…との通信を行う。
ここで、被制御パッケージ４０−１、４０−２、…とは、ＷＤＭ装置、ＡＤＭ装置にて、監視制御される主信号パッケージである。
外部通信処理部３は、メモリカード１０−２に接続され、制御監視判定処理部２と、装置外部と、装置内通信処理部４との間での通信処理を行う。装置内通信処理部４は、図示しない他の装置間の通信データを送受信する装置間データ送受信部５０を経由して、データを送受信し、外部通信処理部３からのデータを他の装置へ送信したり受信したりする。
【００１６】
メモリカード１０−１、１０−２は、半導体メモリ、例えば、ＰＲＯＭ（Programmable Read Only Memory）、ＥＥＰＲＯＭ（Electrically Erasable Programmable ROM）、ＦｅＲＡＭ（Ferroelectric Random Access Memory：強誘電体メモリ）、ＭＲＡＭ（Magnetic RAM）等の不揮発性メモリと接触端子とを有するＩＣモジュールをカード化したものである。メモリカード１０−１、１０−２は、外部書込機材（例えば、ＩＣカードリーダ／ライタもしくはＩＣカードライタ）によりデータの書き換えが可能である。
なお、図１に示した装置内制御監視回路１には、メイン処理部３３（図３参照）が記載されていないが、図３に示したメイン処理部３３の機能は、制御監視判定処理部２に含まれている。
【００１７】
（実施の形態の動作の説明）
次に、図１に示した基幹系伝送装置の装置内制御監視回路の動作について説明する。
起動回路３０は、制御監視判定処理部２、外部通信処理部３、および装置内通信処理部４を構成するマイクロプロセッサ搭載サブボードを起動する。
通信処理部５は、複数の被制御パッケージ４０−１、４０−２、…とデータ通信を行い、被制御パッケージ４０−１、４０−２、…からの警報状態のデータおよびステータス状態のデータを収集し、通信ＬＡＮを経由して制御監視判定処理部２へ伝達し、通信ＬＡＮ経由の制御監視判定処理部２からの制御情報を被制御パッケージ４０−１、４０−２、…へ伝達する。
制御監視判定処理部２は、通信処理部５からの警報状態およびステータス状態をメモリカード内データにて判定処理し、判定結果を外部通信処理部３に通知する。また、制御監視判定処理部２は、外部通信処理部３を経由した外部からの制御コマンドを判定し、通信処理部５を経由して、被制御パッケージ４０−１、４０−２、…への制御を実施する。
外部通信処理部３は、メモリカード１０−２に格納された情報にて外部通信制御を実施し、制御監視判定処理部２と、他の装置と、装置内通信処理部４との間で通信処理を行う。
装置内通信処理部４は、装置間の通信データを送受信する装置間送受信部５０を経由して、データを送受信し、外部通信処理部３からのデータを他の装置への送信または多の装置からの受信を行う。
【００１８】
図２は、本発明の基幹系伝送装置の装置内制御監視回路の他の実施の形態を示すブロック図である。
図２に示した装置内制御監視回路７と図３に示した装置内制御監視回路１との相違点は、外部通信処理部３、装置内通信処理部４、通信処理部５、起動回路３０、メイン処理部３３、および制御監視判定処理部３４を同一のボード（プリント基板）に構成した点である。
このような装置内制御監視回路７においても図１に示した装置内制御監視回路１と同様の効果が得られる。すなわち、各マイクロプロセッサ搭載ボード間の通信用ケーブルが不要となり、また保守性も向上し、さらに、装置内での実装スペースが削減される。
【００１９】
（効果）
本発明の基幹系伝送装置の装置内制御監視回路における第１の効果は、各マイクロプロセッサ搭載ボードを複数ボード構成とするのでなく、１ボード構成とするため、各マクロプロセッサ搭載ボード間の通信用ケーブルが不要となり、また保守性も向上し、さらに、装置内での実装スペースが削減され、汎用ラック等に搭載可能な小スペース型の基幹系伝送装置などに実装することが可能となった点にある。
また、本発明の基幹系伝送装置の装置内制御監視回路における第２の効果は、汎用メモリカードを使用することで、パーソナルコンピュータ等の外部書き込み機材にて制御監視データを簡易に書き換えが可能となり、操作性が向上した点にある。
【産業上の利用可能性】
【００２０】
本発明は、基幹系伝送装置の装置内制御監視回路にて、複数の被制御パッケージを有する構成にて、被制御パッケージを監視制御する用途に適用できる。
【図面の簡単な説明】
【００２１】
【図１】本発明の基幹系伝送装置の装置内制御監視回路の一実施の形態を示すブロック図である。
【図２】本発明の基幹系伝送装置の装置内制御監視回路の他の実施の形態を示すブロック図である。
【図３】従来の基幹系伝送装置の装置内制御監視回路のブロック図である。
【符号の説明】
【００２２】
１    装置内制御監視回路
２    制御監視判定処理部
３    外部通信処理部
４    装置内通信処理部
５、６    通信処理部
１０−１、１０−２    メモリカード
３０    起動回路
４０−１、４０−２、…    被制御パッケージ
５０    装置間送受信部
【図１】
2005322997.tif 000003
【図２】
2005322997.tif 000004
【図３】
2005322997.tif 000005